【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
タッチセンス装置上の同時タッチ事象の発生源を識別する方法であって、
タッチセンス装置は、複数の行導電体および複数の列導電体を含み、行導電体の各々の経路は列導電体の各々の経路と交差し：
前記方法は、
複数の行導電体のうちの少なくとも一部の各１つの上の複数の固有の直交行信号の各々を同時に送信する工程であって、複数の固有の直交行信号の各々が互いに異なる、工程；
複数の列導電体の各々の上に存在する複数の固有の直交行信号の各々の量を検出する工程；
列導電体のうちの少なくとも一部の各１つの上の複数の直交列信号の各々を同時に送信する工程；
複数の行導電体の各々の上に存在する複数の直交列信号の各々の量を検出する工程；
少なくとも１つの行導電体の上に存在する複数の固有の直交行信号の少なくとも１つの量を検出する工程であって、少なくとも１つの行導電体が、複数の固有の直交行信号の少なくとも１つが送信される複数の行導電体のうちの少なくとも一部の１つとは異なる、工程；
少なくとも１つの列導電体の上に存在する複数の直交列信号の少なくとも１つの量を検出する工程；および、
少なくとも１つの行導電体の上に存在する複数の固有の直交行信号の少なくとも１つの検出量、または、少なくとも１つの列導電体の上に存在する複数の直交列信号の各々の検出量のうちの少なくとも１つに基づいて、複数の同時タッチ事象の各々を、個別の発生源に関連づける工程：
を含むことを特徴とする方法。
【請求項２】
両手のジェスチャと片手のジェスチャとを区別する工程をさらに含む、請求項１に記載の方法。
【請求項３】
複数のタッチ事象の少なくとも２つを、異なるユーザによって開始されたものとして識別する工程をさらに含む、請求項１に記載の方法。
【請求項４】
受動的物体と手を区別する工程をさらに含む、請求項１に記載の方法。
【請求項５】
受動的物体にユーザが触れていても触れていなくても、この物体を識別する工程をさらに含む、請求項１に記載の方法。
【請求項６】
受動的物体を識別する工程をさらに含む、請求項１に記載の方法。
【請求項７】
受動的物体はスタイラスである、請求項６に記載の方法。
【請求項８】
受動的物体を識別する工程は、ともに接続されて特異パターンを形成する多数のプロングを識別する工程を含む、請求項６に記載の方法。
【請求項９】
受動的物体を識別する工程は、タッチセンス装置に認識可能なパターン中のタッチ間の電気的接続へと切り替える工程を含む、請求項６に記載の方法。
【請求項１０】
能動的物体識別する工程をさらに含む、請求項１に記載の方法。
【請求項１１】
能動的物体は信号発生器を含む、請求項１０に記載の方法。
【請求項１２】
能動的物体はスタイラスである、請求項１０に記載の方法。
【請求項１３】
パームリジェクションを改善するために関連付けを使用する工程をさらに含む、請求項１に記載の方法。
【請求項１４】
偶発的タッチリジェクションを改善するために関連付けを使用する工程をさらに含む、請求項１に記載の方法。
【請求項１５】
複数のタッチ事象が１つの手に由来するかどうかを判定する工程をさらに含む、請求項１に記載の方法。
【請求項１６】
複数のタッチ事象が同一人物の２つの手に由来するかどうかを判定する工程をさらに含む、請求項１に記載の方法。
【請求項１７】
複数のタッチ事象が複数の人からのタッチに由来するかどうかを判定する工程をさらに含む、請求項１に記載の方法。
【請求項１８】
それぞれ異なるフレームにおいて識別された２つの接触が、異なるユーザによってなされたかどうかを判定する工程をさらに含む、請求項１に記載の方法。
【請求項１９】
それぞれ異なるフレームにおいて識別された２つの接触が、同じ接触かどうかを判定する工程をさらに含む、請求項１に記載の方法。
【請求項２０】
複数の閾値を利用する工程をさらに含む、請求項１に記載の方法。
【請求項２１】
複数のタッチ事象のうちの２つが１つの手に由来するかどうか、複数のタッチ事象のうちの２つが同じ人の２つの手に由来するかどうか、または、複数のタッチ事象のうちの２つが異なる人の手に由来するかどうか、のうちの少なくとも１つを判定するために、複数の閾値を使用する工程をさらに含む、請求項２０に記載の方法。
【請求項２２】
タッチセンス装置が使用されているとときに、閾値が適合的に設定される、請求項２０に記載の方法。
【請求項２３】
タッチ事象を識別する工程は、信号プロセッサによって実行される、請求項１に記載の方法。
【請求項２４】
タッチ事象を識別する工程は、ユーザの指のうちの第１の１本によってタッチされている行と、ユーザの指のうちの第２の１本によってタッチされている行との間の結合を検出する工程を含む、請求項１に記載の方法。
【請求項２５】
タッチ事象を識別する工程は、ユーザの指のうちの第１の１本によってタッチされている列と、ユーザの指のうちの第２の１本によってタッチされている列との間の結合を検出する工程を含む、請求項１に記載の方法。
【請求項２６】
タッチ事象を識別する工程は、ユーザの身体の一部分によって引き起されたタッチ事象に近接する行と、ユーザの身体の他の部分によって引き起されたタッチ事象に近接する行との間の結合を検出する工程を含む、請求項１に記載の方法。
【請求項２７】
ユーザの身体の一部分は指であり、ユーザの身体の他の部分はユーザの手のひらを含む、請求項２６に記載の方法。
【請求項２８】
タッチ事象は、タッチセンス装置の近くで生じるユーザによる行動を含む、請求項１に記載の方法。
【請求項２９】
複数の固有の直交行信号の各々を同時に送信する工程は、タッチセンス装置の各行の上の直交行信号を送信する工程を含み；
複数の直交列信号の各々を同時に送信する工程は、タッチセンス装置の各列の上の直交列信号を送信する工程を含み；
複数の列導電体の各々の上に存在する複数の固有の直交行信号の各々の量を検出する工程は、タッチセンス装置の各列の上の固有の直交行信号を検出する工程を含み；および、
複数の行導電体の各々上に存在する複数の直交列信号の各々の量を検出する工程は、タッチセンス装置の各行の上の直交列信号を検出する工程を含む、請求項１に記載の方法。
【請求項３０】
接触にラベルを付与する工程をさらに含む、請求項１に記載の方法。
【請求項３１】
接触に付与されるラベルを、複数フレームにわたって持続させる工程をさらに含む、請求項１に記載の方法。
【請求項３２】
行導電体および列導電体は格子状に配置される、請求項１に記載の方法。
【請求項３３】
行導電体および列導電体は、格子状以外の形状に配置される、請求項１に記載の方法。
【請求項３４】
行導電体は同心円状に配置される、請求項３３に記載の方法。
【請求項３５】
列導電体は、前記同心円の中心から外に放射するスポーク状に配置される、請求項３４に記載の方法。
【請求項３６】
行導電体および列導電体に付加される第３のタイプの導電体をさらに含む、請求項１に記載の方法。
【請求項３７】
タッチセンス装置上の同時のタッチ事象の発生源を識別する方法であって、
タッチセンス装置は、複数の行導電体および複数の列導電体を含み、行導電体の各々の経路は列導電体の各々の経路と交差し：
前記方法は、
複数の行導電体のうちの少なくとも一部の各１つの上の複数の固有の直交行信号の各々を同時に送信する工程であって、複数の固有の直交行信号の各々が互いに異なる、工程；
少なくとも１つの行の上に存在する複数の固有の直交行信号の少なくとも１つの量を検出する工程；
列導電体のうちの少なくとも一部の各１つの上の複数の直交列信号の各々を同時に送信する工程；
少なくとも１つの列導電体上に存在する複数の直交列信号の各々の量を検出する工程；
複数の固有の直交行信号の各々の検出量を使用して、タッチセンス装置上のタッチ事象を識別する工程；および
複数の行導電体の少なくとも１つの上に存在する複数の固有の直交行信号の少なくとも１つの検出量に少なくとも部分的に基づいて、複数の同時タッチ事象の各々を、個別の発生源に関連づける工程であって、複数の行導電体の少なくとも１つが、複数の固有の直交行信号の１つが送信される複数の行導電体のうちの少なくとも一部の各１つとは異なる、工程、
を含むことを特徴とする方法。
【請求項３８】
両手のジェスチャと片手のジェスチャとを区別する工程をさらに含む、請求項３７に記載の方法。
【請求項３９】
複数のタッチ事象の少なくとも２つを、異なるユーザによって開始されたものとして識別する工程をさらに含む、請求項３７に記載の方法。
【請求項４０】
受動的物体と手とを区別する工程をさらに含む、請求項３７に記載の方法。
【請求項４１】
受動的物体にユーザが触れていても触れていなくてもこの物体を識別する工程をさらに含む、請求項３７に記載の方法。
【請求項４２】
受動的物体を識別する工程をさらに含む、請求項３７に記載の方法。
【請求項４３】
受動的物体はスタイラスである、請求項４２に記載の方法。
【請求項４４】
受動的物体を識別する工程は、ともに接続されて特異パターンを形成する多くのプロングを識別する工程を含む、請求項４１に記載の方法。
【請求項４５】
受動的物体を識別する工程は、タッチセンス装置に認識可能なパターンでのタッチ間の電気的接続へと切り替える工程を含む、請求項４１に記載の方法。
【請求項４６】
能動的物体を識別する工程をさらに含む、請求項３７に記載の方法。
【請求項４７】
能動的物体は信号発生器を含む、請求項４６に記載の方法。
【請求項４８】
能動的物体はスタイラスである、請求項４６に記載の方法。
【請求項４９】
パームリジェクションを改善するために関連付けを使用する工程をさらに含む、請求項３７に記載の方法。
【請求項５０】
偶発的タッチリジェクションを改善するために関連付けを使用する工程をさらに含む、請求項３７に記載の方法。
【請求項５１】
複数のタッチ事象が、１つの手に由来するかどうかを判定する工程をさらに含む、請求項３７に記載の方法。
【請求項５２】
複数のタッチ事象が、同一人物の２つの手に由来するかどうかを判定する工程をさらに含む、請求項３７に記載の方法。
【請求項５３】
複数のタッチ事象が、複数の人からのタッチに由来するかどうかを判定する工程をさらに含む、請求項３７に記載の方法。
【請求項５４】
それぞれ異なるフレームにおいて識別された２つの接触が、異なるユーザによってなされたかどうかを判定する工程をさらに含む、請求項３７に記載の方法。
【請求項５５】
それぞれ異なるフレームにおいて識別された２つの接触が、同じ接触かどうかを判定する工程をさらに含む、請求項３７に記載の方法。
【請求項５６】
複数の閾値を利用する工程をさらに含む、請求項３７に記載の方法。
【請求項５７】
複数のタッチ事象のうちの２つが１つの手に由来するかどうか、複数のタッチ事象のうちの２つが同じ人の２つの手に由来するかどうか、または、複数のタッチ事象のうちの２つが異なる人の手に由来するかどうか、のうちの少なくとも１つを判定するために、複数の閾値を使用する工程をさらに含む、請求項５６に記載の方法。
【請求項５８】
タッチセンス装置が使用されているとときに、閾値が適合的に設定される、請求項５６に記載の方法。
【請求項５９】
タッチ事象を識別する工程は、信号プロセッサによって実行される、請求項３７に記載の方法。
【請求項６０】
タッチ事象を識別する工程は、ユーザの指のうちの第１の１本によってタッチされている行と、ユーザの指のうちの第２の１本によってタッチされている行との間の結合を検出する工程を含む、請求項３７に記載の方法。
【請求項６１】
タッチ事象を識別する工程は、ユーザの指のうちの第１の１本によってタッチされている列と、ユーザの指のうちの第２の１本によってタッチされている列との間の結合を検出する工程を含み、
前記方法は、
複数の行導電体の少なくとも１つの上に存在する複数の直交列信号の各々の量を検出する工程；
複数の列導電体の少なくとも１つの上に存在する複数の固有の直交行信号の各々の量を検出する工程；および
複数の列導電体の少なくとも１つの上に存在する複数の直交列信号の各々の量を検出する工程、を含み、
タッチ事象を識別する工程は、複数の行導電体の少なくとも１つの上に存在する複数の直交列信号の各々の検出量および複数の列導電体の少なくとも１つの上に存在する複数の固有の直交行信号の各々の検出量に基づき、および、
関連づける工程はまた、複数の列導電体の少なくとも１つの上に存在する複数の直交列信号の各々の検出量に少なくとも部分的に基づく、請求項３７に記載の方法。
【請求項６２】
タッチ事象の識別を関連づける工程は、ユーザの身体の一部分によって引起されたタッチ事象に近接する行と、ユーザの身体の他の部分によって引起されたタッチ事象に近接する行との間の結合を検出する工程を含む、請求項３７に記載の方法。
【請求項６３】
ユーザの身体の一部分は指であり、ユーザの身体の他の部分はユーザの手のひらを含む、請求項６２に記載の方法。
【請求項６４】
タッチ事象は、タッチセンス装置の近くで生じるユーザによる行動を含む、請求項３７に記載の方法。
【請求項６５】
複数の固有の直交行信号の各々を同時に送信する工程は、タッチセンス装置の各行の上の直交行信号を送信する工程を含み；
複数の直交列信号の各々を同時に送信する工程は、タッチセンス装置の各列の上の直交列信号を送信する工程を含み；
複数の列導電体の各々の上に存在する複数の固有の直交行信号の各々の量を検出する工程は、タッチセンス装置の各列の上の固有の直交行信号を検出する工程を含み；および、
複数の行導電体の各々上に存在する複数の直交列信号の各々の量を検出する工程は、タッチセンス装置の各行の上の直交列信号を検出する工程を含む、請求項３７に記載の方法。
【請求項６６】
接触にラベルを付与する工程をさらに含む、請求項３７に記載の方法。
【請求項６７】
接触に付与されるラベルを、複数フレームにわたって持続させる工程をさらに含む、請求項６６に記載の方法。
【請求項６８】
行導電体および列導電体は格子状に配置される、請求項３７に記載の方法。
【請求項６９】
行導電体および列導電体は、格子状以外の形状に配置される、請求項３７に記載の方法。
【請求項７０】
行導電体は同心円状に配置される、請求項６９に記載の方法。
【請求項７１】
列導電体は、前記同心円の中心から外に放射するスポーク状に配置される、請求項７０に記載の方法。
【請求項７２】
行導電体および列導電体に付加される第３のタイプの導電体をさらに含む、請求項３７に記載の方法。
【請求項７３】
タッチセンス装置の上の複数の同時タッチ事象の発生源を識別する方法であって、
タッチセンス装置は、複数の行導電体および複数の列導電体を含み、行導電体の各々の経路は列導電体の各々の経路と交差し：
前記方法は、
複数の行導電体の各々の上に存在する複数の固有の直交行信号の各々の量を検出する工程であって、複数の固有の直交行信号の各々が互いに異なる、工程；および、
複数の行導電体の少なくとも１つの上に存在する複数の直交行信号の少なくとも１つの検出量に基づいて、複数の同時タッチ事象の少なくとも２つを、個別の発生源に関連づける工程であって、複数の固有の直交行信号の少なくとも１つが、身体に送信されたクロストークの結果として複数の行導電体の少なくとも１つの上に存在する、工程、
を含むことを特徴とする方法。
【請求項７４】
両手のジェスチャと片手のジェスチャとを区別する工程をさらに含む、請求項７３に記載の方法。
【請求項７５】
複数のタッチ事象の少なくとも２つを、異なるユーザによって開始されものとして識別する工程をさらに含む、請求項７３に記載の方法。
【請求項７６】
受動的物体と手とを区別する工程をさらに含む、請求項７３に記載の方法。
【請求項７７】
受動的物体にユーザが触れていても触れていなくても、この物体を識別する工程をさらに含む、請求項７３に記載の方法。
【請求項７８】
受動的物体を識別する工程をさらに含む、請求項７３に記載の方法。
【請求項７９】
受動的物体はスタイラスである、請求項７８に記載の方法。
【請求項８０】
受動的物体を識別する工程は、ともに接続されて特異パターンを形成する多数のプロングを識別する工程を含む、請求項７８に記載の方法。
【請求項８１】
受動的物体を識別する工程は、タッチセンス装置に認識可能なパターン中のタッチ間の電気的接続へと切り替える工程を含む、請求項７８に記載の方法。
【請求項８２】
能動的物体を識別する工程をさらに含む、請求項７３に記載の方法。
【請求項８３】
能動的物体は信号発生器を含む、請求項８２に記載の方法。
【請求項８４】
能動的物体はスタイラスである、請求項８２に記載の方法。
【請求項８５】
パームリジェクションを改善するために関連付けを使用する工程をさらに含む、請求項７３に記載の方法。
【請求項８６】
偶発的タッチリジェクションを改善するために関連付けを使用する工程をさらに含む、請求項７３に記載の方法。
【請求項８７】
複数のタッチ事象が１つの手に由来するかどうかを判定する工程をさらに含む、請求項７３に記載の方法。
【請求項８８】
複数のタッチ事象が同一人物の２つの手に由来するかどうかを判定する工程をさらに含む、請求項７３に記載の方法。
【請求項８９】
複数のタッチ事象が複数の人からのタッチに由来するかどうかを判定する工程をさらに含む、請求項７３に記載の方法。
【請求項９０】
それぞれ異なるフレームにおいて識別された２つの接触が、異なるユーザによってなされたかどうかを判定する工程をさらに含む、請求項７３に記載の方法。
【請求項９１】
それぞれ異なるフレームにおいて識別された２つの接触が、同じ接触かどうかを判定する工程をさらに含む、請求項７３に記載の方法。
【請求項９２】
複数の閾値を利用する工程をさらに含む、請求項７３に記載の方法。
【請求項９３】
複数のタッチ事象のうちの２つが１つの手に由来するか、複数のタッチ事象のうちの２つが同じ人の２つの手に由来するか、または、複数のタッチ事象のうちの２つが異なる人の手に由来するかどうかのうちの、少なくとも１つを判定するために、複数の閾値を使用する工程をさらに含む、請求項９２に記載の方法。
【請求項９４】
タッチセンス装置が使用されているときに、閾値が適合的に設定される、請求項９２に記載の方法。
【請求項９５】
タッチ事象を識別する工程をさらに含み、
タッチ事象の識別を関連づける工程が、信号プロセッサによって実行される、請求項７３に記載の方法。
【請求項９６】
タッチ事象の識別を関連づける工程は、ユーザの指のうちの第１の１本によってタッチされている行と、ユーザの指のうちの第２の１本によってタッチされている行との間の結合を検出する工程を含む、請求項７３に記載の方法。
【請求項９７】
タッチ事象の識別を関連づける工程は、ユーザの指のうちの第１の１本によってタッチされている列と、ユーザの指のうちの第２の１本によってタッチされている列との間の結合を検出する工程を含む、請求項７３に記載の方法。
【請求項９８】
タッチ事象の識別を関連づける工程は、ユーザの身体の一部分によって引起されたタッチ事象に近接する行と、ユーザの身体の他の部分によって引起されたタッチ事象に近接する行との間の結合を検出する工程を含む、請求項７３に記載の方法。
【請求項９９】
ユーザの身体の一部分は指であり、ユーザの身体の他の部分はユーザの手のひらを含む、請求項９８に記載の方法。
【請求項１００】
タッチ事象は、タッチセンス装置の近くで生じるユーザによる行動を含む、請求項７３に記載の方法。
【請求項１０１】
接触にラベルを付与する工程をさらに含む、請求項７３に記載の方法。
【請求項１０２】
接触に付与されるラベルを、複数フレームにわたって持続させる工程をさらに含む、請求項１０１に記載の方法。
【請求項１０３】
行導電体および列導電体は格子状に配置される、請求項７３に記載の方法。
【請求項１０４】
行導電体および列導電体は、格子状以外の形状に配置される、請求項７３に記載の方法。
【請求項１０５】
行導電体は同心円状に配置される、請求項１０４に記載の方法。
【請求項１０６】
列導電体は、前記同心円の中心から外に放射するスポーク状に配置される、請求項１０５に記載の方法。
【請求項１０７】
行導電体および列導電体に付加される第３のタイプの導電体をさらに含む、請求項７３に記載の方法。
【請求項１０８】
低レイテンシタッチセンス装置であって：
複数の行導電体および列導電体であって：
ｉ．複数の行導電体の導電経路の各々が、複数の列導電体の導電経路の各々と交差し、および
ｉｉ．タッチセンス装置がタッチされていないとき、第１のレベルの信号がそれらの間に連結され、および
ｉｉｉ．タッチセンス装置がタッチされているとき、第２のレベルの信号がそれらの間に連結されるように配置された複数の行導電体および列導電体；
行信号発生器であって、作動的に複数の行導電体に接続され、複数の固有の直交行信号を同時に生成するように適合され、固有の直交行信号の各々が他の固有の直交行信号の各々に対し直交する行信号発生器；
列信号デコーダであって、作動的に複数の列導電体に接続され、複数の列導電体の各々の上の複数の固有の直交行信号の各々のレベルを検出するように適合された列信号デコーダ；
列信号発生器であって、作動的に複数の列導電体に接続され、複数の固有の直交列信号を同時に生成するために適合され、各固有の直交列信号は他の固有の直交列信号の各々に対し直交している列信号発生器；
行信号デコーダであって、作動的に複数の行導電体に接続され、複数の行導電体の各々の上の複数の固有の直交列信号の各々のレベルと、複数の行導電体の各々の上の複数の固有の直交行信号の各々のレベルとを検出するために適合された行信号デコーダ；および
プロセッサであって、複数の行導電体の少なくとも１つの上に存在する複数の直交行信号の少なくとも１つの検出量に基づいて、複数の同時タッチ事象の各々を、個別の発生源に関連づけるように構成され、複数の行導電体の少なくとも１つが、複数の固有の直交行信号の１つが送信される複数の行導電体の１つとは異なる、プロセッサ、
を含むことを特徴とする低レイテンシタッチセンス装置。
【請求項１０９】
プロセッサは、両手のジェスチャと片手のジェスチャとを区別するようにさらに構成される、請求項１０８に記載の装置。
【請求項１１０】
プロセッサは、複数のタッチ事象の少なくとも２つを、異なるユーザによって開始されたものとして識別するようにさらに構成される、請求項１０８に記載の装置。
【請求項１１１】
プロセッサは、受動的物体と手とを区別するようにさらに構成される、請求項１０８に記載の装置。
【請求項１１２】
プロセッサは、受動的物体にユーザが触れていても触れていなくても、この物体を識別するようにさらに構成される、請求項１０８に記載の装置。
【請求項１１３】
プロセッサは、受動的物体を識別するようにさらに構成される、請求項１０８に記載の装置。
【請求項１１４】
受動的物体はスタイラスである、請求項１１３に記載の装置。
【請求項１１５】
プロセッサは、ともに接続されて特異パターンを形成する多くのプロングを識別するようにさらに構成される、請求項１１３に記載の装置。
【請求項１１６】
プロセッサは、タッチセンス装置に認識可能なパターンにおけるタッチ間の電気的接続へと切り替える工程を行うようにさらに構成される、請求項１１３に記載の装置。
【請求項１１７】
プロセッサは、能動的物体を識別するようにさらに構成される、請求項１０８に記載の装置。
【請求項１１８】
能動的物体は信号発生器を含む、請求項１１７に記載の装置。
【請求項１１９】
能動的物体はスタイラスである、請求項１１７に記載の装置。
【請求項１２０】
プロセッサは、パームリジェクションを改善するために関連付けを使用するようにさらに構成される、請求項１０８に記載の装置。
【請求項１２１】
プロセッサは、偶発的タッチリジェクションを改善するために関連付けを使用するようにさらに構成される、請求項１０８に記載の装置。
【請求項１２２】
プロセッサは、複数のタッチ事象が１つの手に由来するかどうかを判定するようにさらに構成される、請求項１０８に記載の装置。
【請求項１２３】
プロセッサは、複数のタッチ事象が同一人物の２つの手に由来するかどうかを判定するようにさらに構成される、請求項１０８に記載の装置。
【請求項１２４】
プロセッサは、複数のタッチ事象が複数の人からのタッチに由来するかどうかを判定するようにさらに構成される、請求項１０８に記載の装置。
【請求項１２５】
プロセッサは、各々異なるフレームにおいて識別された２つの接触が、異なるユーザによってなされたかどうかを判定するようにさらに構成される、請求項１０８に記載の装置。
【請求項１２６】
プロセッサは、各々異なるフレームにおいて識別された２つの接触が、同じ接触かどうかを判定するようにさらに構成される、請求項１０８に記載の装置。
【請求項１２７】
プロセッサは、複数の閾値を利用するようにさらに構成される、請求項１０８に記載の装置。
【請求項１２８】
プロセッサは、複数のタッチ事象のうちの２つが１つの手に由来するかどうか、複数のタッチ事象のうちの２つが同じ人の２つの手に由来するかどうか、または、複数のタッチ事象のうちの２つが異なる人の手に由来するかどうかのうちの、少なくとも１つを判定するために、複数の閾値を使用するようにさらに構成される、請求項１２７に記載の装置。
【請求項１２９】
プロセッサは、タッチセンス装置が使用されているときに、閾値を適合的に設定するようにさらに構成される、請求項１２７に記載の装置。
【請求項１３０】
プロセッサは信号プロセッサである、請求項１０８に記載の装置。
【請求項１３１】
プロセッサは、ユーザの指の第１の１本によってタッチされている行と、ユーザの指の第２の１本によってタッチされている行との間の結合を検出するようにさらに構成される、請求項１０８に記載の装置。
【請求項１３２】
プロセッサは、ユーザの指の第１の１本によってタッチされている列と、ユーザの指の第２の１本によってタッチされている列との間の結合を検出するようにさらに構成される、請求項１０８に記載の装置。
【請求項１３３】
プロセッサは、ユーザの身体の一部分によって引起されたタッチ事象に近接する行と、ユーザの身体の他の部分によって引起されたタッチ事象に近接する行との間の結合を検出するようにさらに構成される、請求項１０８に記載の装置。
【請求項１３４】
ユーザの身体の一部分は指であり、ユーザの身体の他の部分はユーザの手のひらを含む、請求項１３３に記載の装置。
【請求項１３５】
タッチ事象は、タッチセンス装置の近くで生じるユーザによる行動を含む、請求項１０８に記載の装置。
【請求項１３６】
プロセッサは、接触にラベルを付与するようにさらに構成される、請求項１０８に記載の装置。
【請求項１３７】
プロセッサは、接触に付与されるラベルを、複数フレームにわたって持続させるようにさらに構成される、請求項１３６に記載の装置。
【請求項１３８】
行導電体および列導電体は格子状に配置される、請求項１０８に記載の装置。
【請求項１３９】
行導電体および列導電体は、格子状以外の形状に配置される、請求項１０８に記載の装置。
【請求項１４０】
行導電体は同心円状に配置される、請求項１３９に記載の装置。
【請求項１４１】
列導電体は、前記同心円の中心から外に放射するスポーク状に配置される、請求項１４０に記載の装置。
【請求項１４２】
行導電体および列導電体に付加される第３のタイプの導電体をさらに含む、請求項１０８に記載の装置。